(57)【要約】  【課題】  単独のチューナを備える受信機で異なる周波数に割り当てられた複数のチャンネルを同時に受信することが可能な通信システムを提供することを目的とする。  【解決手段】  受信機に送られる各チャンネルの信号にはそれぞれ受信しなくてもよい時間帯が設けられており、利用者によって異なる周波数に割り当てられた複数のチャンネルを同時に受信する指示が行われれると、前記時間帯を利用して、チューナ部２３が指定されたチャンネルにかかる周波数を切り替えることで、複数のチャネルの番組情報を取得することができる。  【選択図】      図４
2006229510.tif 000002
【特許請求の範囲】
【請求項１】
番組情報を含む信号が送信局から衛星を介して受信機に与えられ、前記受信機において前記与えられた信号に基づいて所定の処理が施されることで前記番組情報が取得される構成であるディジタル衛星放送システムにおいて、
前記受信機が、受信する信号の周波数を選択するチューナ部と、前記チューナ部で選択された一の周波数に含まれる信号から取得された前記番組情報を外部に出力する第１及び第２の出力部と、を備え、
第１の周波数の信号に含まれる第１のチャンネルと、第２の周波数の信号に含まれる第２のチャンネルとを受信する指示が与えられると、前記チューナ部が前記第１の周波数と前記第２の周波数を所定の時間間隔で切替制御されるとともに、前記第１の周波数が選択されている間に受信される信号に基づいて前記第１のチャンネルの番組情報が復元されて前記第１の出力部に送出され、前記第２の周波数が選択されている間に受信される信号に基づいて前記第２のチャンネルの番組情報が復元されて前記第２の出力部に送出されることを特徴とするディジタル衛星通信システム。
【請求項２】
前記送信局が、前記番組情報をパケット毎に分割する情報分割部と、前記情報分割部によって分割されたパケットを所定の規則に基づいて多重化することでストリームを生成する多重化部と、前記多重化部で生成されたストリームを衛星に送信する送信部と、を備え、
前記受信機が、前記チューナ部で選択された一の周波数の信号に含まれる前記ストリームから多重化された前記パケットを分離するデマルチプレクサ部と、前記デマルチプレクサ部で分離された前記パケットから前記番組情報を復元するデコード部と、を備え、
前記デコード部より与えられる前記番組情報が、前記第１及び第２の出力部より外部に出力されることを特徴とする請求項１に記載のディジタル衛星通信システム。
【請求項３】
前記多重化部が、
前記情報分割部において分割された複数のパケットを、時間的に不連続となるように各パケット間に所定の空き時間を設けて多重化することで前記ストリームを生成することを特徴とする請求項２に記載のディジタル衛星通信システム。
【請求項４】
各パケット間に設けられる前記所定の空き時間が、周波数毎に異なる時間帯に設けられることを特徴とする請求項３に記載のディジタル衛星通信システム。
【請求項５】
前記受信機に対して、前記第１の周波数の信号に含まれる前記第１のチャンネルと、前記第２の周波数の信号に含まれる前記第２のチャンネルとを受信する指示が与えられると、
前記チューナ部が、各ストリームに含まれる前記所定の空き時間を利用して前記第１の周波数と前記第２の周波数の間で受信周波数の切替えを行うことで、両チャンネルの番組情報を取得することを特徴とする請求項４に記載のディジタル衛星通信システム。
【請求項６】
前記多重化部が、
前記所定の空き時間に、同一情報が記載された複数の前記パケットを連続的に並べて多重化することで前記ストリームを生成することを特徴とする請求項３に記載のディジタル衛星通信システム。
【請求項７】
前記受信機に対して、前記第１の周波数の信号に含まれる前記第１のチャンネルと、前記第２の周波数の信号に含まれる前記第２のチャンネルとを受信する指示が与えられると、
前記チューナ部が、前記同一情報が記載されたパケットが与えられる時間を利用して前記第１の周波数と前記第２の周波数の間で受信周波数の切替えを行うことで、両チャンネルの番組情報を取得することを特徴とする請求項６に記載のディジタル衛星通信システム。
【請求項８】
前記送信局が、複数のチャンネルにかかる番組情報を備えており、
前記情報分割部が、前記複数のチャンネルにかかる番組情報を分割して各パケットを生成し、
前記多重化部が、前記所定の空き時間に他のチャンネルにかかるパケットを連続的に並べることで、複数のチャンネルの番組情報を多重化してストリームを生成することを特徴とする請求項３に記載のディジタル衛星システム。
【請求項９】
前記受信機に対して、前記第１の周波数の信号に含まれる前記第１のチャンネルと、前記第２の周波数の信号に含まれる前記第２のチャンネルとを受信する指示が与えられると、
前記チューナ部が、前記第１の周波数の信号に含まれる各パケットの内、前記第１のチャンネルにかかるパケットが与えられる時間内は受信周波数を前記第１の周波数とし、前記第１のチャンネル以外のチャンネルにかかるパケットが与えられる時間内は受信周波数を前記第２の周波数に切り替えて、前記第２のチャンネルにかかるパケットを受信することで、両チャンネルの番組情報を取得することを特徴とする請求項８に記載のディジタル衛星通信システム。
【請求項１０】
前記送信局が、複数のチャンネルにかかる番組情報を備えており、
前記情報分割部が、前記複数のチャンネルにかかる番組情報を分割して各パケットを生成し、
前記多重化部が、前記所定の空き時間に他のチャンネルにかかるパケットを並べるとともに、各パケットと同一情報が記載された複数のパケットを連続的に並べて多重化することで前記ストリームを生成することを特徴とする請求項３に記載のディジタル衛星通信システム。
【請求項１１】
前記受信機に対して、前記第１の周波数の信号に含まれる前記第１のチャンネルと、前記第２の周波数の信号に含まれる前記第２のチャンネルとを受信する指示が与えられると、
前記チューナ部が、前記第１の周波数の信号に含まれる各パケットの内、前記第１のチャンネルにかかるパケットが与えられる時間内に受信周波数を前記第１の周波数として、前記第１のチャンネルにかかるパケットを取得するとともに、当該時間内に与えられるパケットと同一情報が記載されるパケットが与えられる時間、または前記第１のチャンネル以外のチャンネルにかかるパケットが与えられる時間内に受信周波数を前記第２の周波数に切り替えて、前記第２のチャンネルにかかるパケットを受信することで、両チャンネルの番組情報を取得することを特徴とする請求項１０に記載のディジタル衛星通信システム。
【請求項１２】
請求項２に記載のディジタル衛星通信システムに備えられる送信局であって、
前記多重化部が、
前記情報分割部において分割された複数のパケットを、時間的に不連続となるように各パケット間に所定の空き時間を設けて多重化することで前記ストリームを生成することを特徴とする送信局。
【請求項１３】
各パケット間に設けられる前記所定の空き時間が、周波数毎に異なる時間帯に設けられることを特徴とする請求項１２に記載の送信局。
【請求項１４】
前記多重化部が、
前記所定の空き時間に同一情報が記載された複数の前記パケットを連続的に並べて多重化することで前記ストリームを生成することを特徴とする請求項１２に記載の送信局。
【請求項１５】
複数のチャンネルにかかる番組情報を備え、
前記情報分割部が、前記複数のチャンネルにかかる番組情報を分割して各パケットを生成し、
前記多重化部が、前記所定の空き時間に他のチャンネルにかかるパケットを連続的に並べることで、複数のチャンネルの番組情報を多重化してストリームを生成することを特徴とする請求項１２に記載の送信局。
【請求項１６】
複数のチャンネルにかかる番組情報を備え、
前記情報分割部が、前記複数のチャンネルにかかる番組情報を分割して各パケットを生成し、
前記多重化部が、前記所定の空き時間に他のチャンネルにかかるパケットを並べるとともに、各パケットと同一情報が記載された複数のパケットを連続的に並べて多重化することでストリームを生成することを特徴とする請求項１２に記載の送信局。
【請求項１７】
請求項１または請求項２に記載のディジタル衛星通信システムに備えられる受信機であって、
前記第１の周波数の信号に含まれる前記第１のチャンネルと、前記第２の周波数の信号に含まれる前記第２のチャンネルとを受信する指示が与えられると、前記チューナ部が、各ストリームに含まれる所定の空き時間を利用して前記第１の周波数と前記第２の周波数の間で受信周波数の切替えを行うことで、両チャンネルの番組情報を取得することを特徴とする受信機。
【請求項１８】
請求項１または請求項２に記載のディジタル衛星通信システムに備えられる受信機であって、
前記第１の周波数の信号に含まれる前記第１のチャンネルと、前記第２の周波数の信号に含まれる前記第２のチャンネルとを受信する指示が与えられると、前記チューナ部が、同一情報が記載されたパケットが与えられる時間を利用して前記第１の周波数と前記第２の周波数の間で受信周波数の切替えを行うことで、両チャンネルの番組情報を取得することを特徴とする受信機。
【請求項１９】
請求項１または請求項２に記載のディジタル衛星通信システムに備えられる受信機であって、
前記第１の周波数の信号に含まれる前記第１のチャンネルと、前記第２の周波数の信号に含まれる前記第２のチャンネルとを受信する指示が与えられると、前記チューナ部が、前記第１の周波数の信号に含まれる各パケットの内、前記第１のチャンネルにかかるパケットが与えられる時間内は受信周波数を前記第１の周波数とし、前記第１のチャンネル以外のチャンネルにかかるパケットが与えられる時間内は受信周波数を前記第２の周波数に切り替えて、前記第２のチャンネルにかかるパケットを受信することで、両チャンネルの番組情報を取得することを特徴とする受信機。
【請求項２０】
前記第１の周波数の信号に含まれる前記第１のチャンネルと、前記第２の周波数の信号に含まれる第３のチャンネルとを受信する指示が与えられると、
前記第１の周波数の信号に含まれる各パケットの内、前記第１のチャンネルにかかるパケットが与えられる時間帯と、前記第２の周波数の信号に含まれる各パケットの内、前記第３のチャンネルにかかるパケットが与えられる時間帯と、が重なっている場合には、いずれか一方のチャンネルのみが受信可能である旨を通知することを特徴とする請求項１８に記載の受信機。
【請求項２１】
請求項１または請求項２に記載のディジタル衛星通信システムに備えられる受信機であって、
前記第１の周波数の信号に含まれる前記第１のチャンネルと、前記第２の周波数の信号に含まれる前記第２のチャンネルとを受信する指示が与えられると、前記チューナ部が、前記第１の周波数の信号に含まれる各パケットの内、前記第１のチャンネルにかかるパケットが与えられる時間内に受信周波数を前記第１の周波数として、前記第１のチャンネルにかかるパケットを取得するとともに、当該時間内に与えられるパケットと同一情報が記載されるパケットが与えられる時間、または前記第１のチャンネル以外のチャンネルにかかるパケットが与えられる時間内に受信周波数を前記第２の周波数に切り替えて、前記第２のチャンネルにかかるパケットを受信することで、両チャンネルの番組情報を取得することを特徴とする受信機。
【発明の詳細な説明】
【技術分野】
【０００１】
本発明は、ディジタル衛星放送システムに関し、特に複数の放送番組を同時に受信することが可能なディジタル衛星放送システムに関するものである。
【背景技術】
【０００２】
昨今、通信衛星や放送衛星等の人工衛星を介してテレビジョン信号をディジタル化して伝送し、この伝送された信号を各家庭において受信して視聴するディジタル衛星放送システムが普及してきている。
【０００３】
衛星の中継器から送信される複数のトランスポンダには、映像信号や音声信号等が多重化されている。各トランスポンダは、異なる周波数で形成される。
【０００４】
受信機にはチューナが備えられており、このチューナによって指定された一の周波数の信号が受信機内に入力され、受信機内で所定の処理が施された後、映像信号及び音声信号として出力される。
【０００５】
受信機内には、チャンネル番号と該当するチャンネル番号の番組が含まれているトランスポンダの信号周波数を記載したテーブルが取り込まれており、利用者がリモコン等によって指定したチャンネルに応じてチューナが当該チャンネルの信号を含むトランスポンダの周波数に調整して、該当するトランスポンダを受信する構成である。
【０００６】
すなわち、ある周波数のトランスポンダに含まれるチャンネルを受信した状態の下で、さらに異なる周波数のトランスポンダに含まれるチャンネルを受信するためには、受信機が異なる２種類の周波数を受信できる構成である必要があり、このような構成をした受信機が従来より提供されている（例えば、特許文献１参照）。
【特許文献１】特開平１１−８８４７号公報
【発明の開示】
【発明が解決しようとする課題】
【０００７】
特許文献１に記載されるような複数の受信系統を備える受信機によれば、受信周波数を指定するためのチューナが複数備えられているため、異なる周波数のトランスポンダを同時に受信することができる。
【０００８】
従って、あるチャンネルの番組をテレビで視聴しながら同時に別のチャンネルの番組を録画するような場合に、これらのチャンネルの信号が異なる周波数のトランスポンダに含まれる場合でも、両トランスポンダを受信することができるため、一方を視聴しながら他方の録画を行うことが可能となる。
【０００９】
しかしながら、このような構成の受信機においては、複数のチューナを備える必要があるため受信機そのものが大型化してしまうという問題がある。
【００１０】
また、異なる周波数の信号を同時に受信する場合、複数のチューナが同時に駆動するため、電力消費量が増大するという問題がある。
【００１１】
以上の問題を解決するため、本発明は、単独のチューナーを備える受信機によって異なる周波数の信号に含まれる複数の放送番組を同時に受信することが可能なディジタル衛星放送システムを提供することを目的とする。
【００１２】
また、本発明は、このディジタル衛星放送システムに利用される送信局および受信機を提供することを別の目的とする。
【課題を解決するための手段】
【００１３】
上記目的を達成すべく、本発明のディジタル衛星通信システムは、番組情報を含む信号が送信局から衛星を介して受信機に与えられ、前記受信機において前記与えられた信号に基づいて所定の処理が施されることで前記番組情報が取得される構成であって、前記受信機が、受信する信号の周波数を選択するチューナ部と、前記チューナ部で選択された一の周波数に含まれる信号から取得された前記番組情報を外部に出力する第１及び第２の出力部と、を備え、第１の周波数の信号に含まれる第１のチャンネルと、第２の周波数の信号に含まれる第２のチャンネルとを受信する指示が与えられると、前記チューナ部が前記第１の周波数と前記第２の周波数を所定の時間間隔で切替制御されるとともに、前記第１の周波数が選択されている間に受信される信号に基づいて前記第１のチャンネルの番組情報が復元されて前記第１の出力部に送出され、前記第２の周波数が選択されている間に受信される信号に基づいて前記第２のチャンネルの番組情報が復元されて前記第２の出力部に送出されることを特徴とする。
【００１４】
このように構成されるとき、チューナ部によって第１の周波数と第２の周波数が適宜切り替えられることで、両周波数の信号に含まれる番組情報を取得することができるため、単独のチューナを備える受信装置によって複数の周波数帯の番組を同時に受信することが可能となる。
【００１５】
また、例えば、前記送信局が、前記番組情報をパケット毎に分割する情報分割部と、前記情報分割部によって分割されたパケットを所定の規則に基づいて多重化することでストリームを生成する多重化部と、前記多重化部で生成されたストリームを衛星に送信する送信部と、を備え、前記受信機が、前記チューナ部で選択された一の周波数の信号に含まれる前記ストリームから多重化された前記パケットを分離するデマルチプレクサ部と、前記デマルチプレクサ部で分離された前記パケットから前記番組情報を復元するデコード部と、を備え、前記デコード部より与えられる前記番組情報が、前記第１及び第２の出力部より外部に出力される構成としても良い。
【００１６】
このとき、前記多重化部が、前記情報分割部において分割された複数のパケットを、時間的に不連続となるように各パケット間に所定の空き時間を設けて多重化することで前記ストリームを生成する構成としても良い。
【００１７】
このように空き時間を設けることで、この時間内については当該周波数の信号を受信していなくても、番組情報を復元するために必要なすべてのパケットを取得することができるため、受信機によって番組情報を取得することができる。従って、この空き時間を利用して他の周波数の信号を受信することで、一つのチューナを備える受信機によって複数の周波数にかかるチャンネルを受信することが可能となる。
【００１８】
このとき、前記情報分割部が、前記番組情報を同一のサイズのパケットに分割するものとしても構わない。
【００１９】
さらに、各パケット間に設けられる前記所定の空き時間が、周波数毎に異なる時間帯に設けられる構成としても構わない。
【００２０】
また例えば、前記受信機に対して、前記第１の周波数の信号に含まれる前記第１のチャンネルと、前記第２の周波数の信号に含まれる前記第２のチャンネルとを受信する指示が与えられると、前記チューナ部が、各ストリームに含まれる前記所定の空き時間を利用して前記第１の周波数と前記第２の周波数の間で受信周波数の切替えを行うことで、両チャンネルの番組情報を取得する構成としても良い。
【００２１】
このとき、一の周波数の信号に含まれるパケットを取得後周波数を切り替えた時点では、切り替え先周波数の信号を受信してもパケット間の空き時間に該当しているためパケットが与えられず、次に与えられるパケットを受信後に再び周波数を戻した時点では、前に受信したパケットの次に並べられるパケットが未だ与えられていないように、パケット間の所定の時間間隔を調整するものとしても構わない。
【００２２】
さらに具体的には、一のパケットを受信するのに必要な時間をｔ０とし、周波数変更に必要な時間をｔ１とすると、ストリームを構成する各パケットの時間間隔ｔｉをｔ０＋２ｔ１以上の値とするものとしても構わない。
【００２３】
また例えば、前記多重化部が、前記所定の空き時間にさらに同一情報が記載された複数の前記パケットを連続的に並べて多重化することで前記ストリームを生成するものとしても構わない。
【００２４】
このとき、前記受信機に対して、前記第１の周波数の信号に含まれる前記第１のチャンネルと、前記第２の周波数の信号に含まれる前記第２のチャンネルとを受信する指示が与えられると、前記チューナ部が、前記同一情報が記載されたパケットが与えられる時間を利用して前記第１の周波数と前記第２の周波数の間で受信周波数の切替えを行うことで、両チャンネルの番組情報を取得する構成としても構わない。
【００２５】
すなわち、このように構成されることで、各周波数とも、同一の情報が記載されたパケットが連続的に複数個与えられるため、例えば第１のチャンネルにかかる番組情報を取得すべく、第１の周波数を選択して一のパケットを取得後、同一の情報が記載されるパケットが所定の時間連続的に与えられる。このとき、すでに同一情報が記載されたパケットを取得済みであるため、これらのパケットを取得する必要がなく、言い換えれば、次に異なる情報が記載されるパケットが与えられるまでに所定の時間を要するため、この間を利用して、第２のチャンネルにかかる番組情報を取得すべくチューナ部が第２の周波数に切り替えてパケットを取得することができる。
【００２６】
なお、このとき、一のパケットを受信するのに必要な時間をｔ０とし、周波数変更に必要な時間をｔ１とすると、同一パケットが連続的に与えられる時間ｔｉ２を２ｔ０＋２ｔ１以上の値とするものとしても構わない。このように構成することで、第２の周波数に切り替えた後、与えられるパケットを取得して、再び第１の周波数に切り替えた時点では、切り替え前に第１の周波数の信号から取得したパケットと同一の情報が記載されたパケットが与えられているため、第２の周波数を受信中に第１のチャンネルにかかる番組情報を復元するのに必要なパケットを取得できないという事態が生じることがない。
【００２７】
また例えば、前記送信局が、複数のチャンネルにかかる番組情報を備えており、前記情報分割部が、前記複数のチャンネルにかかる番組情報を分割して各パケットを生成し、前記多重化部が、前記所定の空き時間にさらに他のチャンネルにかかるパケットを連続的に並べることで、複数のチャンネルの番組情報を多重化してストリームを生成する構成としても構わない。
【００２８】
このとき、前記受信機に対して、前記第１の周波数の信号に含まれる前記第１のチャンネルと、前記第２の周波数の信号に含まれる前記第２のチャンネルとを受信する指示が与えられると、前記チューナ部が、前記第１の周波数の信号に含まれる各パケットの内、前記第１のチャンネルにかかるパケットが与えられる時間内は受信周波数を前記第１の周波数とし、前記第１のチャンネル以外のチャンネルにかかるパケットが与えられる時間内は受信周波数を前記第２の周波数に切り替えて、前記第２のチャンネルにかかるパケットを受信することで、両チャンネルの番組情報を取得する構成としても良い。
【００２９】
このように構成されるとき、同一チャンネルにかかる番組情報が記載された各パケットは、所定の時間間隔ごとに配列されてストリームが構成されているため、この空き時間内に他のチャンネルにかかる番組情報が記載されたパケットを多重化して一つのストリームで多チャンネルの情報を送信する構成とすることができる。
【００３０】
この場合においても、前記第１の周波数の信号に含まれる前記第１のチャンネルと前記第２の周波数の信号に含まれる前記第２のチャンネルとを受信する指示が与えられると、前記チューナ部が、第１の周波数の信号に第１のチャンネル以外のチャンネルの情報に関するパケットが与えられる期間に、受信周波数を第２の周波数に切り替えて第２のチャンネルの情報が記載されたパケットを受信するとともに、再び第１の周波数に切り替えて第１のチャンネルの情報に関するパケットを取得するという制御が繰り返し行われることで、複数の周波数に割り当てられた複数のチャンネルの番組情報を取得できる。
【００３１】
なお、利用者によって指定された複数のチャンネルが、いずれも同一の周波数の信号に含まれている場合には、チューナ部によって周波数切替が行われずにこれらのチャンネルにかかる番組情報を取得することができる。このように指定されたチャンネルがどの周波数の信号に含まれるかという情報が、予め受信機内部で記憶されているものとしても良い。
【００３２】
さらに、例えば、利用者によって指定された複数のチャンネルが、第１の周波数の信号に含まれる第１のチャンネルと第２の周波数の信号に含まれる第３のチャンネルであって、前記第１のチャンネルにかかるパケットが与えられる時間帯と、前記第２の周波数の信号に含まれる各パケットの内、前記第３のチャンネルにかかるパケットが与えられる時間帯と、が重なっている場合には、両チャンネルのパケットを受信することができないため、いずれか一方のチャンネルのみが受信可能である旨を通知する機能を受信機が備えるものとしても構わない。
【００３３】
この場合、指定されたチャンネルがどの周波数の信号に含まれるかという情報とともに、当該チャンネルにかかる各パケットが受信機に送られてくる時刻情報についても予め受信機内部で記憶されているものとしても構わない。
【００３４】
また、例えば、前記送信局が、複数のチャンネルにかかる番組情報を備えており、前記情報分割部が、前記複数のチャンネルにかかる番組情報を分割して各パケットを生成し、前記多重化部が、前記所定の空き時間に他のチャンネルにかかるパケットを連続的に並べることで、複数のチャンネルの番組情報を多重化してストリームを生成する構成としても構わない。
【００３５】
このとき、前記受信機に対して、前記第１の周波数の信号に含まれる前記第１のチャンネルと、前記第２の周波数の信号に含まれる前記第２のチャンネルとを受信する指示が与えられると、前記チューナ部が、前記第１の周波数の信号に含まれる各パケットの内、前記第１のチャンネルにかかるパケットが与えられる時間内は受信周波数を前記第１の周波数とし、前記第１のチャンネル以外のチャンネルにかかるパケットが与えられる時間内は受信周波数を前記第２の周波数に切り替えて、前記第２のチャンネルにかかるパケットを受信することで、両チャンネルの番組情報を取得する構成としても良い。
【００３６】
このように構成されることで、第１のチャンネルにかかるパケットと第２のチャンネルにかかるパケットが同一のタイミングで与えられる形態のストリームであっても、各ストリームが同一情報が記載されたパケットが連続的に並べられて形成されているため、この間を利用して周波数切替を行うことで両チャンネルの情報を取得することができる。
【００３７】
また、上記と同様に、一周波数のストリームに多チャンネルの情報が多重化されているため、第１のチャンネルにかかるパケットと第２のチャンネルにかかるパケットが時間的にずれて与えられる場合には、第１の周波数の信号において第１のチャンネル以外のチャンネルの情報が与えられる時間内に周波数を第２の周波数に受信周波数を切り替え、第２のチャンネル以外のチャンネルの情報が与えられる時間内に受信周波数を再び第１の周波数に切り替える構成とすることもできる。
【発明の効果】
【００３８】
本発明の構成によれば、各チャンネルにおいて、番組を構成するデータが記載されるパケットが所定の時間間隔毎もしくは所定個数に並べられることでストリームが構成されるため、指定されたチャンネルにかかるデータが含まれない時間帯、あるいはすでに取得したデータが流れている時間帯が存在する。従って、この時間帯を利用して受信周波数を切り替えて受信するストリームを変更することで、さらに異なる周波数のストリームに含まれるチャンネルにかかるデータを取得することができる。これによって、単独のチューナを備える受信装置によって複数の周波数帯の番組を同時に受信することが可能となる。
【発明を実施するための最良の形態】
【００３９】
＜第１の実施形態＞
本発明の第１の実施形態について、図面を参照して説明する。図１は、本発明の映像表示装置の一実施形態である通信システムの構成を示す概念図である。
【００４０】
図１の通信システム１は、ＡＶデータを含む放送信号をアンテナより送信（アップリンク）する送信局２と、複数の中継器を備えるとともに送信局２からの放送信号を中継する衛星３と、地上に設置され、中継器から送信された信号を受信（ダウンリンク）する受信装置を備えた受信機４と、で構成される。
【００４１】
送信局２において、同一のＡＶデータがパケット毎に組み替えられて複数の放送信号が生成された後、この複数の放送信号がそれぞれ異なるチャンネル周波数で送信される。同一のＡＶデータより生成された複数の放送信号が、衛星３を介して受信機４において受信されると、この複数の放送信号より得られるデータを合成することで元のＡＶデータが再現される。
【００４２】
図２は、送信局２の構成を示すブロック図である。送信局２は、番組を構成するデータである映像データ及び音声データを格納するＡＶデータ格納部１１と、ＡＶデータ格納部１１から与えられるＡＶデータをＭＰＥＧ（Motion Picture Expert Group）方式などによりデジタル符号化してＥＳ（Elementary Stream）を生成する符号化部１２と、符号化部１２で得られたＥＳを所定の単位毎にパケット化して複数のＰＥＳ（Packetized Elementary Stream）を生成するとともに、この複数のＰＥＳと、ＰＳＩ（Program Specific Information）／ＳＩ（Service Information）とを統合して、固定長のＴＳ（Transport Stream）パケット列を生成するパケット処理部１３と、パケット処理部１３で生成されたＴＳパケットに対して伝送誤りを回避するための誤り訂正符号を付加するとともに変調処理を行い高周波信号を生成する変調処理部１４と、変調処理部１４から出力される高周波信号を衛星３に対して送信する送信部１５と、を備える。
【００４３】
送信局２では、ＡＶデータ格納部１１から与えられるコンテンツを構成するＡＶデータが符号化部１２に与えられると、符号化部１２がＡＶデータをデジタル符号化してＥＳを生成してパケット処理部１３に出力する。
【００４４】
パケット処理部１３では、符号化部１２より与えられるＥＳを所定の単位毎にパケット化してＰＥＳを生成する。ＰＥＳは、音声や映像等、情報の種別に応じて生成され、例えば同一時間毎に各情報が区切られることで形成される。また、各ＰＥＳのヘッダには、当該ＰＥＳを構成する音声や映像の信号を受信機側で再生する時刻の情報（以下、「再生時刻情報」と記載する）が含まれる。
【００４５】
さらにパケット処理部１３では、この生成された映像データや音声データを構成するＰＥＳをそれぞれ固定長に分割し（ＴＳパケット化）、多重化を行ってＴＳ信号を形成する。このとき、各ＴＳパケットには識別のためのパケットＩＤ（ＰＩＤ）が付され、同一のＰＥＳが分割されたＴＳパケットには同一のＰＩＤが付される。また、このＴＳ信号には、各ＰＥＳに関する情報を記載したＰＳＩ／ＳＩが付加される。このＰＳＩ／ＳＩは、ＴＳパケットを構成するＰＥＳに関する情報が格納されており、受信機４では、このＰＳＩ／ＳＩから該当するＰＩＤが付されたＴＳパケットを抽出し、このＴＳパケットよりＰＥＳを再生することができる。
【００４６】
なお本実施形態では、同一の情報を含むＴＳパケットが所定の数だけ連続的に並べられてＴＳ信号が形成されるものし、同一の情報を含むＴＳパケットには、同一の情報を含むことを示すための部分パケット情報（以下、「ＰＰＩＤ」と称する）がヘッダに付されるものとする。
【００４７】
図３は、ＴＳの構成の一例である。図３（ｂ）に示すＴＳ４０は、図３（ａ）に示すＰＥＳ４１及びＰＥＳ４２によってその一部が構成される。
【００４８】
まずＰＥＳ４１及びＰＥＳ４２を所定のサイズ毎に分割することで部分ＰＥＳ４１−１、４１−２、・・・、及び部分ＰＥＳ４２−１、４２−２、・・・を生成する。
【００４９】
そして、部分ＰＥＳ４１−１によって形成されるＴＳパケット４１−１ａ、４１−１ｂ、４１−１ｃ、４１−１ｄが連続して並べられ、いずれのヘッダにもＰＥＳ４１から生成されたことを示す同一のＰＩＤ「４１ｐ」、及び同一のＰＥＳ４１のうちの同一の部分ＰＥＳ４１−１から生成されたことを示す同一のＰＰＩＤ「ｐ４１ｐ−１」が付される。
【００５０】
次に、上記と同様に、部分ＰＥＳ４２−１によって形成されるＴＳパケット４２−１ａ、４２−１ｂ、４２−１ｃ、４２−１ｄが、ＴＳパケット４１−１ｄに引き続き連続して並べられ、いずれのヘッダにもＰＥＳ４２から生成されたことを示す同一のＰＩＤ「４２ｐ」、及び同一のＰＥＳ４２のうちの同一の部分ＰＥＳ４２−１から生成されたことを示す同一のＰＰＩＤ「ｐ４２ｐ−１」が付される。
【００５１】
次に、部分ＰＥＳ４１−２によって形成されるＴＳパケット４１−２ａ、４１−２ｂ、４１−２ｃ、４１−２ｄがＴＳパケット４１−２ｄに引き続き連続して並べられ、いずれのヘッダにもＰＥＳ４１から生成されたことを示す同一のＰＩＤ「４１ｐ」、及び同一のＰＥＳ４１のうちの同一の部分ＰＥＳ４１−２から生成されたことを示す同一のＰＰＩＤ「ｐ４１ｐ−２」が付される。
【００５２】
同様に、部分ＰＥＳ４２−２によって形成されるＴＳパケット４２−２ａ、４２−２ｂ、４２−２ｃ、４２−２ｄがＴＳパケット４１−２ｄに引き続き連続して並べられ、いずれのヘッダにも、ＰＥＳ４２から生成されたことを示す同一のＰＩＤ「４２ｐ」、及び同一の部分ＰＥＳ４２−２から生成されたことを示す同一のＰＰＩＤ「ｐ４２ｐ−２」が付される。
【００５３】
このようにＴＳ信号が構成されるとき、受信機４側では、同一のＰＰＩＤが付されたＴＳパケットについては少なくとも１つを受信することで、当該ＰＰＩＤに該当する部分ＰＥＳを取得することができる。従って、例えば図３に示す例の場合、ＴＳパケット４１−１ａ、４１−１ｂ、４１−１ｃ、４１−１ｄは、いずれもＰＰＩＤが「ｐ４１ｐ−１」であるため、仮にＴＳパケット４１−１ａ、４１−１ｂ、４１−１ｃの３つのＴＳパケットが何らかの理由により受信できない状態であったとしても、ＴＳパケット４１−１ｄが受信できれば、部分ＰＥＳ４１−１を取得することができるため、他の部分ＰＥＳ４１−２、・・・とによってＰＥＳ４１を復元することが可能となる。
【００５４】
同様に、受信機４側で、ＰＰＩＤがｐ４２ｐ−１、ｐ４２ｐ−２、・・・であるＴＳパケットをそれぞれ少なくとも１つずつ受信することで、部分ＰＥＳ４２−１、ＰＥＳ４２−２、・・・を取得することができるため、これらに基づいてＰＥＳ４２を復元することが可能となる。受信機４では、このようにして複数のＰＥＳが分離・多重化されて形成されるＴＳ信号から各ＰＥＳの復元処理が行われる。
【００５５】
なお、このように構成されるＴＳ信号を受信機４が受信した場合における、受信機４の詳細な動作内容については後述する。
【００５６】
また、図３では同一のＴＳパケットが４つ連続することでＴＳ信号が形成されるものとしているが、同一ＴＳパケットが連続する数は４に限られず、予め定められた所定の数だけ連続して生成されるものとして良い。
【００５７】
このようにパケット処理部１３で生成されたＴＳパケットが並べられて構成されるＴＳ信号は、変調処理部１４において誤り訂正符号の付加が行われた後、ＱＰＳＫ（Quadrature Phase Shift Keying）方式などの所定の変調方式に従って変調処理が施される。そして、周波数変換部（不図示）において高周波信号に変換された後、送信部１５より送信される。
【００５８】
送信部１５より送信された高周波信号は、衛星３に備えられる中継器によって増幅及び周波数変換が施された後、受信機４に対して放射される。中継器は衛星３に複数備えられており、各中継器間で同期処理が施された後に放射されるものとする。また、各中継器から放射される信号の周波数は、中継器ごとに異なる値となるよう設定される。
【００５９】
図４は、受信機４の構成を示すブロック図である。受信機４は、衛星３から放射される信号を受信する受信用アンテナ２１と、アンテナ２１で受信した信号に対して周波数変換を施すＬＮＢ（Low Noise Block down converter）２２と、ＬＮＢ２２からの出力信号に所定の処理を施して、映像及び音声の信号を取り出すＳＴＢ（Set Top Box）２０と、で構成される。このＳＴＢ２０からの出力信号をテレビ等に入力することで、視聴者は番組の映像及び音声の情報を認識することができる。なお図４において、実線が番組データの流れを示しており、点線が制御信号の流れを示している。
【００６０】
ＳＴＢ２０は、ＬＮＢ２２からの出力信号のうち、所望の周波数の信号のみを選択的に受信するとともに、受信された信号に対して復調処理及び誤り訂正処理を施してＴＳ信号を取得するためのチューナ部２３と、チューナ部２３によって取り込まれたＴＳ信号から多重化された各ＴＳパケット信号を分離するデマルチプレクサ部２４と、デマルチプレクサ部２４によって分離された各ＴＳパケット信号に基づいてデコード処理を行うデコーダ部２５−１、２５−２と、デコーダ部２５−１から出力されるデータに対して映像及び音声として外部に出力するため所定の形式に変換を行う出力処理部２６−１を備える。同様に、デコーダ部２５−２から出力されるデータに対して映像及び音声として外部に出力するため所定の形式に変換を行う出力処理部２６−２を備える。そして、出力処理部２６−１、２６−２からは番組を構成する映像及び音声の信号が出力される。
【００６１】
例えば、出力処理部２６−１にテレビを接続し、出力処理部２６−２にビデオを接続することで、出力処理部２６−１から出力される映像および音声信号を視聴するとともに、出力処理部２６−２から出力される映像および音声信号を保存（録画）することができる構成である。
【００６２】
またＳＴＢ２０は、チューナ部２３、デマルチプレクサ部２４、デコーダ部２５−１、デコーダ部２５−２それぞれの動作制御を行う制御部２８を備える。さらに、チューナ部２３、デマルチプレクサ部２４、デコーダ部２５−１、デコーダ部２５−２、出力処理部２６−１、出力処理部２６−２には、それぞれデータを一時的に格納するためのバッファが備えられる。
【００６３】
利用者は、リモコン３１を操作することで、受信するチャンネルの選択を行う。リモコン３１の操作内容は、制御部２８に与えられ、制御部２８はチューナ部２３に対し利用者が所望するチャンネルの周波数を選択する指示を行う。このとき、ＳＴＢ２０内のメモリ（不図示）には、あらかじめリモコンの操作内容と、操作内容に対応するチャンネルの情報及び周波数の情報とが関連付けされた周波数テーブルが格納されているものとし、制御部２８がこの周波数テーブルの情報に基づいてチューナ部２３に対して指示を与えるものとしても良い。
【００６４】
例えば、利用者がリモコン３１を操作してチャンネルｃｈ４０を受信する旨の指示を行ったとする。制御部２８は、チューナ部２３に対してチャンネルｃｈ４０に該当する周波数ｆ４０のＴＳ信号を選択受信する指示を行う。チューナ部２３は、周波数ｆ４０のＴＳ信号を選択的に受信し、復号処理を施した後デマルチプレクサ部２４に出力する。
【００６５】
デマルチプレクサ部２４は、チューナ部２３より与えられたＴＳ信号から、当該ＴＳ信号に含まれる各ＴＳパケットの情報が記載されたＰＳＩを抽出し、このＰＳＩの情報に基づいて所望のコンポーネント（映像データ、音声データ等）毎に各ＴＳパケットを分離抽出を行って、後段のデコーダ部２５−１に出力する。
【００６６】
デコーダ部２５−１は、まずデマルチプレクサ部２４から与えられる同一ＰＩＤが付された各ＴＳパケットよりＰＥＳを復元する。このとき、上述のように、ＴＳを構成する複数のＴＳパケットには同一ＰＥＳの同一部分が分割されて形成されるＴＳパケット（同一ＰＰＩＤが付されたＴＳパケット）が複数存在するため、これらのＴＳパケットのうちのいずれかのＴＳパケットを選択してＰＥＳの復元に利用すればよい。
【００６７】
上記の例において、チューナ部２３からデマルチプレクサ部２４に対して与えられる周波数ｆ４０のＴＳ信号の一部が図３（ｂ）に示す構造であったとする。このとき、デマルチプレクサ部２４は、各ＴＳパケットに付されているＰＩＤに基づいて、多重化された情報の分離を行う。
【００６８】
デマルチプレクサ部２４は、まずＴＳパケット４１−１ａが与えられると、このヘッダに付されているＰＩＤが「４１ｐ」であることを確認してデコーダ部２５−１に出力する。デコーダ部２５−１は、ＰＩＤが「４１ｐ」であること及びＰＰＩＤが「ｐ４１ｐ−１」であることより、ＴＳパケット４１−１ａがＰＥＳ４１の一部で構成された部分ＰＥＳ４１−１であることを認識し、ＰＥＳ４１を復元するために必要な他の部分ＰＥＳが与えられるまでバッファに格納する。
【００６９】
次に、デマルチプレクサ部２４にＴＳパケット４１−１ｂが与えられると、このヘッダに付されているＰＩＤが「４１ｐ」であることを確認してデコーダ部２５−１に出力する。デコーダ部２５−１は、ＰＩＤが「４１ｐ」であること及びＰＰＩＤが「ｐ４１ｐ−１」であることより、バッファに格納されているＴＳパケットと同一の情報が記載されたＴＳパケットであることを認識して、当該ＴＳパケットを廃棄する。ＴＳパケット４１−１ｃ、４１−１ｄについても同様に処理が施される。
【００７０】
さらに同様に、デマルチプレクサ部２４にＴＳパケット４２−１ａが与えられると、このヘッダに付されているＰＩＤが「４２ｐ」であることを確認してデコーダ部２５−１に出力する。デコーダ部２５−１は、ＰＩＤが「４２ｐ」であること及びＰＰＩＤが「ｐ４２ｐ−１」であることより、ＴＳパケット４２−１ａがＰＥＳ４２の一部で構成された部分ＰＥＳ４２−１であることを認識し、ＰＥＳ４２を復元するために必要な他の部分ＰＥＳが与えられるまでバッファに格納する。
【００７１】
そして、ＴＳパケット４１−１ｂのときと同様、デマルチプレクサ部２４にＴＳパケット４２−１ｂが与えられると、デコーダ部２５−１は、ＰＩＤが「４２ｐ」であること及びＰＰＩＤが「ｐ４２ｐ−１」であることより、バッファに格納されているＴＳパケットと同一の情報が記載されたＴＳパケットであることを認識して、当該ＴＳパケットを廃棄する。ＴＳパケット４２−１ｃ、４２−１ｄについても同様に処理が施される。
【００７２】
以下同様にしてＴＳ信号を構成する各ＴＳパケットがデコーダ部２５−１に与えられる。このとき、例えばＰＥＳ４１を復元するのに必要なすべてのＴＳパケット（ＰＩＤが「４１ｐ」であるＴＳパケット）がバッファに格納されると、デコーダ部２５−１においてこれらのＴＳパケットよりＰＥＳ４１の復元が行われる。さらにＰＥＳ４１が音声データを示す情報が記載されている場合、デコーダ部２５−１において、当該ＰＥＳ４１の情報が音声データに復元される。
【００７３】
そして、復元された音声データは、一時的にバッファに格納され、当該ＰＥＳに付されていた再生時刻情報に基づいて当該時刻に再生可能となるように時間調整が行われた後、出力処理部２６−１に送出される。
【００７４】
出力処理部２６−１は、与えられた音声データに対して音声出力が可能な形式に変換した後（Ａ／Ｄ変換）、この変換された信号を外部に出力する。この出力された信号は、外部に接続されたスピーカー等に入力されて利用者に聴覚される。
【００７５】
同様に、ＰＥＳ４２が映像データであった場合、ＰＥＳ４２を復元するのに必要なすべてのＴＳパケットがバッファに格納されると、デコーダ部２５−１においてこれらのＴＳパケットよりＰＥＳ４２の復元が行われ、さらにこのＰＥＳ４２から映像データに復元が行われる。復元された映像データは、一時的にバッファに格納され、当該ＰＥＳに付されていた再生時刻情報に基づいて当該時刻に再生可能となるように時間調整が行われた後、出力処理部２６−１に送出される。そして出力処理部２６−１は、与えられた映像データに対して映像出力が可能な形式に変換した後（ＮＴＳＣ変換等）、この変換された信号を外部に出力する。この出力された信号は、外部に接続されたモニター等に入力されて利用者に視覚される。
【００７６】
このように構成されることで、利用者はチャンネルｃｈ４０の映像および音声の情報をテレビ等で視聴可能な状態となる。さらにこの状態の元で、チャンネルｃｈ４０とは異なるチャンネルｃｈ５０の信号を受信する場合を以下に説明する。なお、チャンネルｃｈ５０の信号は、周波数ｆ４０とは異なる周波数ｆ５０のＴＳ信号に含まれているものとする。
【００７７】
利用者がリモコン３１を操作して、チャンネルｃｈ４０を受信しながら同時にチャンネルｃｈ５０を受信する指示を行ったとする。制御部２８は、リモコン３１からの信号によって異なる２チャンネルを受信するモード（以下、「同時受信モード」と称する）に移行する旨の指示があったことを認識する。そして、チューナ部２３に対して、チャンネルｃｈ４０とチャンネルｃｈ５０の同時受信を行う旨の指示を行う。
【００７８】
チューナ部２３は、チャンネルｃｈ４０のＴＳ信号周波数ｆ４０と、チャンネルｃｈ５０のＴＳ信号周波数ｆ５０とを、所定のタイミングで切り替えながら信号の受信を行う。このタイミングについて以下に説明を行う。
【００７９】
図５は、アンテナ２１より受信されるチャンネルｃｈ４０とチャンネルｃｈ５０のＴＳ信号の構成例である。図５（ａ）にチャンネルｃｈ４０の構成を示しており、図５（ｂ）にチャンネルｃｈ５０の構成を示している。
【００８０】
各ＴＳパケットは同一のサイズで構成されており、また上述したように中継器からＴＳ信号が放射される際、各放射信号に対して同期が取られているため、チャンネルｃｈ４０（周波数ｆ４０）のＴＳ信号を構成する各ＴＳパケットと、チャンネルｃｈ５０（周波数ｆ５０）のＴＳ信号を構成する各ＴＳパケットは、同一のタイミングでアンテナ２１に放射される。
【００８１】
例えば、図５に示される周波数ｆ４０のＴＳ信号に含まれるＴＳパケット４１−３ａと、周波数ｆ５０のＴＳ信号に含まれるＴＳパケット５１−３ａとは同一のタイミングでアンテナ２１に入射される。このため、チューナ部２３の設定により、周波数ｆ４０のＴＳ信号を受信する状態になっている場合、ＴＳパケット４１−３ａを受信中にはＴＳパケット５１−３ａを受信することができない。
【００８２】
逆に、チューナ部２３の設定により、周波数ｆ５０のＴＳ信号を受信する状態になっている場合、例えばＴＳパケット５１−３ｃを受信中にはＴＳパケット４１−３ｃを受信することができない。
【００８３】
このような構成の元で、上記したようにチャンネルｃｈ４０を受信状態においてさらにチャンネルｃｈ５０を同時受信する指示が行われた場合について説明を行う。
【００８４】
制御部２８は、チューナ部２３に対して受信周波数をｆ４０とｆ５０の同時受信を行う旨の指示を与える。このとき、現在受信中のＴＳパケットが示す部分ＰＥＳが完全に受信し終えた時点で、ＳＴＢ２０が同時受信モードに移行するものとする。
【００８５】
例えば、図５において利用者がチャンネルｃｈ５０の同時受信指示を行ったときＴＳパケット４１−３ａの受信中であったとする。このとき、チューナ部２３は、同一情報が記載されたＴＳパケット群（ＴＳパケット４１−３ａ、４１−３ｂ、４１−３ｃ、４１−３ｄ）の受信が完了次第、ＳＴＢ２０は同時受信モードに移行する。
【００８６】
ＴＳパケット４１−３ｄの受信が完了すると、次のＴＳパケット４２−３ａの受信完了に伴ってチューナ部２３が受信周波数をｆ４０からｆ５０に切り替える。周波数の切替えには一定の時間を要するため、切替えが完了するまでの時間にＴＳパケット４２−３ｂの一部を受信するが、この受信された一部のＴＳパケット４２−３ｂは廃棄するものとして良い。
【００８７】
このとき受信されたＴＳパケット４２−３ａは、デマルチプレクサ部２４によってＰＩＤが「４２ｐ」であることを確認されてデコーダ部２５−１に出力される。デコーダ部２５−１は、ＰＩＤが「４２ｐ」であること及びＰＰＩＤが「ｐ４２ｐ−３」であることより、ＴＳパケット４２−３ａがＰＥＳ４２の一部で構成された部分ＰＥＳ４２−３であることを認識し、ＰＥＳ４２を復元するために必要な他の部分ＰＥＳが与えられるまでバッファに格納する。
【００８８】
一方、周波数ｆ５０に切替え直後に受信される周波数ｆ５０のＴＳ信号は、ＴＳパケット５２−３ｂの一部が欠如した状態である。このとき、ＴＳパケット５２−３ｂのヘッダが確認できないため、当該データについても廃棄処理を行う。そして、次に与えられるＴＳパケット５２−３ｃを受信すると、デマルチプレクサ部２４がこのヘッダに付されているＰＩＤが「５２ｐ」であることを確認してデコーダ部２５−２に出力する。
【００８９】
デコーダ部２５−２は、ＰＩＤが「５２ｐ」であること及びＰＰＩＤが「ｐ５２ｐ−３」であることより、ＴＳパケット５２−３ｃがＰＥＳ５２の一部で構成された部分ＰＥＳ５２−３であることを認識し、ＰＥＳ５２を復元するために必要な他の部分ＰＥＳが与えられるまでバッファに格納する。
【００９０】
ＴＳパケット５２−３ｃの受信が完了すると、再びチューナ部２３は受信周波数をｆ５０からｆ４０に切り替える。このときも先ほどと同様に、切替えが完了するまでの時間にＴＳパケット５２−３ｄの一部を受信するが、この受信された一部のＴＳパケット５２−３ｄは廃棄するものとして良い。
【００９１】
さらに同様に、周波数ｆ４０に切替え直後に受信されるＴＳパケット４２−３ｄのヘッダが確認できないため、当該データについても廃棄処理を行う。そして、次に与えられるＴＳパケット４１−４ａを受信すると、デマルチプレクサ部２４がこのヘッダに付されているＰＩＤが「４１ｐ」であることを確認してデコーダ部２５−１に出力する。
【００９２】
以下、同様にしてＴＳパケットを受信完了毎にチューナ部２３が受信周波数の切り替えを行う。また、デマルチプレクサ部２４がＰＩＤを確認して、チャンネルｃｈ４０にかかるデータについてはデコーダ部２５−１に送出し、チャンネルｃｈ５０にかかるデータについてはデコーダ部２５−２に送出する。
【００９３】
このように構成されるとき、両チャンネルのＴＳ信号とも、同一の情報が記載されたＴＳパケット一つを必ず受信できる構成であるため、ＰＥＳを復元するのに必要な全てのＴＳパケットを取得することができる。従って、例えばＰＥＳ４１を復元するのに必要なすべてのＴＳパケット（ＰＩＤが「４１ｐ」であるＴＳパケット）がバッファに格納されると、デコーダ部２５−１においてこれらのＴＳパケットよりＰＥＳ４１の復元が行われ、ＰＥＳ５２を復元するおに必要な全てのＴＳパケット（ＰＩＤが「５２ｐ」であるＴＳパケット）がバッファに格納されると、デコーダ部２５−２においてこれらのＴＳパケットよりＰＥＳ５２の復元が行われる。
【００９４】
そして、デコーダ部２５−１において復元されたデータは、一時的にバッファに格納され、当該ＰＥＳに付されていた再生時刻情報に基づいて当該時刻に再生可能となるように時間調整が行われた後、出力処理部２６−１に送出される。同様に、デコーダ部２５−２において復元されたデータは、一時的にバッファに格納され、当該ＰＥＳに付されていた再生時刻情報に基づいて当該時刻に再生可能となるように時間調整が行われた後、出力処理部２６−２に送出される。そして、出力処理部２６−１、２６−２で所定の変換処理が施された後、外部に出力される。
【００９５】
従って、出力処理部２６−１からはチャンネルｃｈ４０のデータ（映像、音声等）が出力され、出力処理部２６−２からはチャンネルｃｈ５０のデータ（映像、音声等）が出力されるため、例えば上述のように出力処理部２６−１にテレビを接続し、出力処理部２６−２にビデオを接続することで、出力処理部２６−１から出力される映像および音声信号を視聴するとともに、出力処理部２６−２から出力される映像および音声信号を保存（録画）することが可能となる。
【００９６】
なお上述では、同一の情報が記載されたＴＳパケットが４つ連続的に並べられてＴＳ信号が構成されるものとし、周波数切替に要する時間が一つのＴＳパケットを受信するのに必要な時間より短いとして説明を行ったが、このような構成に限られるものではない。
【００９７】
すなわち、２種類の周波数ｆ４０、ｆ５０に重畳するＴＳ信号を同時受信する場合において、各ＴＳ信号は同一の情報が記載された同一サイズのＴＳパケットが複数個連続的に並べられて構成されるとともに、これらはそれぞれ同期が取られており、周波数ｆ４０のＴＳ信号を構成する一つのＴＳパケット（ＴＳパケット４５−１ａとする）を受信した時点で周波数ｆ５０のＴＳ信号から受信されるＴＳパケットと同一情報が記載されたＴＳパケットが、ＴＳパケット４５−１ａの受信完了後に受信周波数をｆ４０からｆ５０に切り替えた後に受信可能である構成であればよい。
【００９８】
さらにｆ５０のＴＳパケットを受信完了後、周波数をｆ５０からｆ４０に切替を行った時点で、すでに受信したＴＳパケット４５−１ａと同一情報が記載されたＴＳパケットが流れており、これと異なる情報が記載されたＴＳパケットが流れてくるのは少なくともｆ４０に切り替えられた時点以降であればよい。このように構成されることで、他の周波数の信号を受信している最中にＰＥＳを復元するために必要なＴＳパケットを受信できないという事態が起こることがない。
【００９９】
なお、各ＴＳパケットは同じサイズで構成されており、完全に受信するのに必要な時間は一定であるため、同時受信モードに移行後、チューナ部２３は予め定められた時間経過毎に逐次受信周波数の切替えを行うものとしても構わない。
【０１００】
また、上述では、連続する同一のＴＳパケットのうちの一つを受信することでＰＥＳの復元に利用するものとしたが、受信された２つのＴＳパケットの一部同士を組み合わせることで当該ＴＳパケットに記載されたデータを取得してＰＥＳの復元に利用する構成とすることもできる。以下にその説明を行う。
【０１０１】
図５と同様、図６にアンテナ２１より受信されるチャンネルｃｈ４０とチャンネルｃｈ５０のＴＳ信号の構成を示す。図６中、（ａ）がチャンネルｃｈ４０の構成であり、（ｂ）がチャンネルｃｈ５０の構成である。
【０１０２】
上述と同様、ｃｈ４０とｃｈ５０の同時受信を行う場合、まずＴＳパケット４２−５ａの受信が完了すると、チューナ部２３が受信周波数をｆ４０からｆ５０に切り替える。この周波数切替え処理に要する時間に伴い、ｃｈ５０のＴＳパケット５２−５ｂの一部ｓ−１を受信することができず、一部ｓ−２の部分のみが受信可能である。
【０１０３】
周波数ｆ５０に切り替え後、所定時間ｔが経過するとチューナ部２３が再び受信周波数をｆ４０に切り替える。このときの所定時間ｔは、各ＴＳパケットを受信するのに必要な時間とする。
【０１０４】
このとき、受信周波数をｆ５０の間、ＴＳパケット５２−５ｂの一部ｓ−２と、ＴＳパケット５２−５ｃの一部ｓ−３が受信される。このとき、ＴＳパケット５２−５ｂおよび５２−５ｃは同一の情報が記載されているため、この一部のパケットｓ−２とｓ−３によってＴＳパケット５２−５ｂ（５２−５ｃ、５２−５ｄ）に記載されたデータを取得することができる。
【０１０５】
周波数ｆ４０に切替後、ＴＳパケット４２−５ｃの一部及びＴＳパケット４２−５ｄについては廃棄するとともに、ＴＳパケット４１−６ａの受信が完了後、再びチューナ部２３が受信周波数をｆ５０に切り替える。このような切替制御が以下同様に行われる。
【０１０６】
このように構成される場合においても、両チャンネルのＴＳ信号とも、同一の情報が記載されたＴＳパケット一つを必ず受信できる構成であるため、ＰＥＳを復元するのに必要な全てのＴＳパケットを取得することができる。従って、両チャンネルの映像および音声にかかるデータを取得することが可能である。
【０１０７】
＜第２の実施形態＞
本発明の第２の実施形態について図面を参照して説明する。なお本実施形態は、第１の実施形態と比較して、送信局２側においてパケット処理部１３で形成されるＴＳ信号の構成が異なり、これに伴って受信機４における制御部２８の制御内容が異なる構成であって他の構成については第１の実施形態と同一であるためその説明を省略する。
【０１０８】
本実施形態においても第１の実施形態と同様、図３に示す送信局２におけるパケット処理部１３では、この生成された映像データや音声データを構成するＰＥＳをそれぞれ固定長に分割し（ＴＳパケット化）、多重化を行ってＴＳ信号を形成する。なお本実施形態では、各ＴＳパケットは所定の時間間隔を開けて並べられることでＴＳ信号が構成されており、また、第１の実施形態のように同一の情報を含むＴＳパケットが連続的に並べられることがない。
【０１０９】
図７は、本実施形態の送信局２で形成されるＴＳの構成の一例である。図７（ｂ）に示すＴＳ４０は、図７（ａ）に示すＰＥＳ４１及びＰＥＳ４２によってその一部が構成される。またＴＳ４３は第１の実施形態と同様、周波数ｆ４０の信号であるとする。
【０１１０】
本実施形態においても第１の実施形態と同様、まずＰＥＳ４１及びＰＥＳ４２を所定のサイズ毎に分割することで部分ＰＥＳ４１−１、４１−２、・・・、及び部分ＰＥＳ４２−１、４２−２、・・・を生成する。
【０１１１】
そして、各部分ＰＥＳで形成される各ＴＳパケットを図７（ｂ）に示すように所定の時間間隔ｔｉ毎に並べることでＴＳ４３を構成する。例えば図７（ｂ）に示されるＴＳ４３を受信機３が受信すると、まずＴＳパケット４１−１ｐが受信された後、時間ｔｉ経過後ＴＳパケット４２−１ｐが受信され、さらに時間ｔｉ経過後にＴＳパケット４１−２ｐが受信される構成である。なお、本実施形態でも各ＴＳパケットのヘッダには部分ＰＥＳで形成されていることを示すＰＰＩＤが付されるものとする。第３の実施形態でも同様とする。
【０１１２】
さらに、各中継器から放射される各周波数のＴＳについても図７（ｂ）と同様の構成をするものとし、第１の実施形態と同様に各中継器間で同期処理が施された後に放射されるものとする。具体的には、周波数ｆ４０とは異なる周波数ｆ５０のＴＳを構成する各ＴＳパケットが、ＴＳ４０を構成する各ＴＳパケットと同時には受信されないように時間間隔ｔｉ毎に並べられるものとする。
【０１１３】
一方、本実施形態における受信機４は、第１の実施形態と同様に図４に示される構成である。例えば、利用者がリモコン３１を操作してチャンネルｃｈ４０を受信する旨の指示を行った場合、第１の実施形態と同様チューナ部２３が制御されて周波数ｆ４０のＴＳ信号が選択的に受信され、復号処理を施した後デマルチプレクサ部２４に出力される。そして、デマルチプレクサ部２４がＰＳＩの情報に基づいて所望のコンポーネント（映像データ、音声データ等）毎に各ＴＳパケットを分離抽出し、後段のデコーダ部２５−１に出力する。
【０１１４】
そして、デコーダ部２５−１において、同一ＰＩＤが付された各ＴＳパケットよりＰＥＳが復元されて、一時的にバッファに格納された後、当該ＰＥＳに付されていた再生時刻情報に基づいて当該時刻に再生可能となるように時間調整が行われた後、出力処理部２６−１に送出される。
【０１１５】
このとき、図７（ｂ）に示されるように、各ＴＳパケットは所定の時間間隔ｔｉ毎に並べられてＴＳ信号を構成するため、例えばチューナ部２３がこの時間ｔｉの間に他の周波数の信号の受信を行った場合でも、当該チャンネルｃｈ４０にかかる情報の取得漏れが起こることがない。
【０１１６】
このようにＴＳ信号が構成されるとき、チャンネルｃｈ４０とチャンネルｃｈ５０の同時受信を行う場合における動作について以下に説明する。なお、チャンネルｃｈ５０の信号は、周波数ｆ４０とは異なる周波数ｆ５０のＴＳ信号に含まれているものとする。
【０１１７】
利用者がリモコン３１を操作して、チャンネルｃｈ４０を受信しながら同時にチャンネルｃｈ５０を受信する指示を行ったとする。制御部２８は、リモコン３１からの信号によって同時受信モードに移行する旨の指示があったことを認識する。そして、チューナ部２３に対して、チャンネルｃｈ４０とチャンネルｃｈ５０の同時受信を行う旨の指示を行う。
【０１１８】
チューナ部２３は、チャンネルｃｈ４０のＴＳ信号周波数ｆ４０と、チャンネルｃｈ５０のＴＳ信号周波数ｆ５０とを、所定のタイミングで切り替えながら信号の受信を行う。このタイミングについて以下に説明を行う。
【０１１９】
図８は、アンテナ２１より受信されるチャンネルｃｈ４０とチャンネルｃｈ５０のＴＳ信号の構成例である。図８（ａ）にチャンネルｃｈ４０のＴＳ信号４０の構成を示しており、図８（ｂ）にチャンネルｃｈ５０のＴＳ信号５０の構成を示している。
【０１２０】
各ＴＳパケットは同一のサイズで構成され、また上述したように中継器からＴＳ信号が放射される際、各放射信号に対して同期が取られており、チャンネルｃｈ４０（周波数ｆ４０）のＴＳ信号を構成する各ＴＳパケットと、チャンネルｃｈ５０（周波数ｆ５０）のＴＳ信号を構成する各ＴＳパケットは、図８に示すように同一のタイミングで受信されないように構成される。
【０１２１】
例えば、図８に示されるＴＳ４０に含まれるＴＳパケット４１−３ｐがアンテナ２１に入射されたとき、ＴＳ５０に含まれるＴＳパケット５１−３ｐはアンテナ２１に入射しておらず、ＴＳパケット４１−３ｐを受信してから所定時間ｔ４５経過後にＴＳパケット５１−３ｐが入射される構成である。このとき、周波数切り替えに要する時間ｔｆｃが、ｔ４５より短い場合、ＴＳパケット４１−３ｐを受信後周波数の切り替えを行うことで、ＴＳパケット５１−３ｐの受信が可能である。
【０１２２】
逆に、ＴＳ５０に含まれるＴＳパケット５１−３ｐがアンテナ２１に入射されたとき、ＴＳ４０に含まれるＴＳパケット４２−３ｐはアンテナ２１に入射しておらず、ＴＳパケット４１−３ｐを受信してから所定時間ｔ５４経過後にＴＳパケット４２−３ｐが入射される構成である。このとき、同様に、ｔｆｃがｔ５４より短い場合、ＴＳパケット５１−３ｐを受信後周波数の切替を行うことで、ＴＳパケット４２−３ｐの受信が可能である。
【０１２３】
なお、各ＴＳ４０、ＴＳ５０とも、所定の時間間隔ｔｉごとに同一の大きさのＴＳパケットが並べられて構成されているため、ＴＳ４０を構成する任意のＴＳパケットを受信してからＴＳ５０に含まれるＴＳパケットがアンテナ２１に入射されるまでにかかる時間ｔ４５は、常に同一であり、逆に、ＴＳ５０を構成する任意のＴＳパケットを受信してからＴＳ４０に含まれるＴＳパケットがアンテナ２１に入射されるまでにかかる時間ｔ５４も同一の値である。
【０１２４】
このような構成の下で、上記したようにチャンネルｃｈ４０を受信状態においてさらにチャンネルｃｈ５０を同時受信する指示が行われた場合について説明を行う。
【０１２５】
制御部２８は、チューナ部２３に対して受信周波数をｆ４０とｆ５０の同時受信を行う旨の指示を与える。このとき、ＴＳパケットを受信中であれば、当該受信中のＴＳパケットを完全に受信し終えた時点で、ＳＴＢ２０が同時受信モードに移行するものとする。
【０１２６】
例えば、利用者がチャンネルｃｈ５０の同時受信指示を行ったときＴＳパケット４１−３ｐの受信中であったとする。このとき、このＴＳパケット４１−３ｐの受信が完了次第、ＳＴＢ２０が同時受信モードに移行する。
【０１２７】
ＴＳパケット４１−３ｐの受信が完了すると、次のＴＳパケット４２−３ｐの受信完了に伴ってチューナ部２３が受信周波数をｆ４０からｆ５０に切り替える。このとき、周波数の切替えには一定の時間を要するが、周波数ｆ４０にかかる各ＴＳパケットの受信完了後、周波数ｆ５０にかかるＴＳパケットがアンテナ２１に入射するまでにかかる時間ｔ４５を、周波数切替が完了するまでにかかる時間ｔｆｃより大きい値に予め設定しておくことで、周波数ｆ５０に切り替えられた時点ではまだＴＳパケット５２−３ｐがアンテナ２１に入射されていない状態となる。
【０１２８】
このとき受信されたＴＳパケット４２−３ｐは、デマルチプレクサ部２４によってＰＩＤが「４２ｐ」であることを確認されてデコーダ部２５−１に出力される。デコーダ部２５−１は、ＰＩＤが「４２ｐ」であること及びＰＰＩＤが「ｐ４２ｐ−３」であることより、ＴＳパケット４２−３ｐがＰＥＳ４２の一部で構成された部分ＰＥＳ４２−３であることを認識し、ＰＥＳ４２を復元するために必要な他の部分ＰＥＳが与えられるまでバッファに格納する。
【０１２９】
一方、チューナ部２３が受信周波数をｆ５０に切替えられて所定時間経過後、ＴＳパケット５２−３ｐがアンテナ２１に入射される。そして、このＴＳパケット５２−３ｐを受信すると、デマルチプレクサ部２４がこのヘッダに付されているＰＩＤが「５２ｐ」であることを確認してデコーダ部２５−２に出力する。
【０１３０】
デコーダ部２５−２は、ＰＩＤが「５２ｐ」であること及びＰＰＩＤが「ｐ５２ｐ−３」であることより、ＴＳパケット５２−３ｐがＰＥＳ５２の一部で構成された部分ＰＥＳ５２−３であることを認識し、ＰＥＳ５２を復元するために必要な他の部分ＰＥＳが与えられるまでバッファに格納する。
【０１３１】
ＴＳパケット５２−３ｐの受信が完了すると、再びチューナ部２３は受信周波数をｆ５０からｆ４０に切り替える。そして周波数切替が完了して所定時間が経過後、ＴＳパケット４１−４ｐがアンテナ２１に入射される。そして、このＴＳパケット４１−４ｐを受信すると、デマルチプレクサ部２４がこのヘッダに付されているＰＩＤが「４１ｐ」であることを確認してデコーダ部２５−１に出力する。
【０１３２】
以下、同様にしてＴＳパケットを受信完了毎にチューナ部２３が受信周波数の切り替えを行う。また、デマルチプレクサ部２４がＰＩＤを確認して、チャンネルｃｈ４０にかかるデータについてはデコーダ部２５−１に送出し、チャンネルｃｈ５０にかかるデータについてはデコーダ部２５−２に送出する。
【０１３３】
このように構成されるとき、周波数ｆ４０のＴＳ信号を受信中においては周波数ｆ５０のＴＳ信号には受信すべきＴＳパケットが存在せず、逆に周波数ｆ５０のＴＳ信号を受信中においては周波数ｆ５０のＴＳ信号には受信すべきＴＳパケットが存在しない構成である。従って、受信周波数を逐次切り替えることによって、両方のチャンネルのＰＥＳを復元するのに必要な全てのＴＳパケットを取得することができる。
【０１３４】
すなわち、第１の実施形態と同様に、例えばＰＥＳ４１を復元するのに必要なすべてのＴＳパケット（ＰＩＤが「４１ｐ」であるＴＳパケット）がバッファに格納されると、デコーダ部２５−１においてこれらのＴＳパケットよりＰＥＳ４１の復元が行われ、ＰＥＳ５２を復元するおに必要な全てのＴＳパケット（ＰＩＤが「５２ｐ」であるＴＳパケット）がバッファに格納されると、デコーダ部２５−２においてこれらのＴＳパケットよりＰＥＳ５２の復元が行われる。
【０１３５】
そして、デコーダ部２５−１において復元されたデータは、一時的にバッファに格納され、当該ＰＥＳに付されていた再生時刻情報に基づいて当該時刻に再生可能となるように時間調整が行われた後、出力処理部２６−１に送出される。同様に、デコーダ部２５−２において復元されたデータは、一時的にバッファに格納され、当該ＰＥＳに付されていた再生時刻情報に基づいて当該時刻に再生可能となるように時間調整が行われた後、出力処理部２６−２に送出される。そして、出力処理部２６−１、２６−２で所定の変換処理が施された後、外部に出力される。
【０１３６】
従って、出力処理部２６−１からはチャンネルｃｈ４０のデータ（映像、音声等）が出力され、出力処理部２６−２からはチャンネルｃｈ５０のデータ（映像、音声等）が出力されるため、例えば上述のように出力処理部２６−１にテレビを接続し、出力処理部２６−２にビデオを接続することで、出力処理部２６−１から出力される映像および音声信号を視聴するとともに、出力処理部２６−２から出力される映像および音声信号を保存（録画）することが可能となる。
【０１３７】
なお、各ＴＳパケットは同じサイズで構成されており、完全に受信するのに必要な時間は一定であるため、同時受信モードに移行後、チューナ部２３は予め定められた時間経過毎に逐次受信周波数の切替えを行うものとしても構わない。
【０１３８】
＜第３の実施形態＞
本発明の第３の実施形態について、図面を参照して説明する。なお本実施形態は、第１、第２の実施形態と比較して、送信局２側においてパケット処理部１３で形成されるＴＳ信号の構成が異なり、これに伴って受信機４における制御部２８の制御内容が異なる構成であって他の構成については第１の実施形態と同一であるためその説明を省略する。
【０１３９】
本実施形態では、一つの周波数のＴＳ信号に複数のチャンネルの番組が多重化されて送信局から送信される構成である。図９は、本実施形態における送信局２ａの構成を示すブロック図である。なお、以下では１つのＴＳに４種類のチャンネルの情報が多重化されて送信されるものとして説明を行うが、この数は４種類に限られるものではない。
【０１４０】
図９に示すように、本実施形態では、複数のチャンネルのＡＶデータがＡＶデータ格納部１１−１〜１１−４に格納されており、これらの格納部それぞれからコンテンツを構成するＡＶデータが符号化部１２−１〜１２−４に与えられると、符号化部１２−１〜１２−４がＡＶデータをデジタル符号化してＥＳを生成してパケット処理部１３に出力する。
【０１４１】
パケット処理部１３では、符号化部１２より与えられる各チャンネルのＥＳを所定の単位毎にパケット化してＰＥＳを生成し、さらに、このＰＥＳをそれぞれ固定長に分割し（ＴＳパケット化）、多重化を行ってＴＳ信号を形成する。このとき、各ＴＳパケットには識別のためのパケットＩＤ（ＰＩＤ）が付され、同一のＰＥＳが分割されたＴＳパケットには同一のＰＩＤが付される。
【０１４２】
図１０は、パケット処理部１３で生成されたＴＳパケット列の一例を示す。図１０に示すＴＳ２００ａは、チャンネルｃｈ６０、ｃｈ８０、ｃｈ１００、ｃｈ１２０の４種類のチャンネルの情報が多重化されて形成されている。
【０１４３】
チャンネルｃｈ６０のＡＶデータに対応するＥＳは、ＰＥＳ６１、ＰＥＳ６２、・・・によって構成されており、各ＰＥＳが部分ＰＥＳ６１−１、６１−２、・・・、６２−１、６２−２、・・・に分割されて各ＴＳパケットが形成される。以下同様に、ｃｈ８０のＥＳを形成する各ＰＥＳ８１、８２、・・・が部分ＰＥＳ８１−１、８１−２、・・・、８２−１、８２−２、・・・に分割されて各ＴＳパケットが形成され、ｃｈ１００のＥＳを形成する各ＰＥＳ１０１、１０２、・・・が部分ＰＥＳ１０１−１、１０１−２、・・・、１０２−１、１０２−２、・・・に分割されて各ＴＳパケットが形成され、ｃｈ１２０のＥＳを形成する各ＰＥＳ１２１、１２２、・・・が部分ＰＥＳ１２１−１、１２１−２、・・・、１２２−１、１２２−２、・・・に分割されて各ＴＳパケットが形成される。
【０１４４】
このとき、第１の実施形態と同様に、各ＴＳパケットには識別のためのパケットＩＤ（ＰＩＤ）が付され、同一のＰＥＳが分割されたＴＳパケットには同一のＰＩＤが付される。また、このＴＳ信号には、各ＰＥＳに関する情報を記載したＰＳＩ／ＳＩが付加される。このＰＳＩ／ＳＩは、ＴＳパケットを構成するＰＥＳに関する情報が格納されており、受信機４では、このＰＳＩ／ＳＩから該当するＰＩＤが付されたＴＳパケットを抽出し、このＴＳパケットよりＰＥＳを復元することができる。なお、本実施形態の構成では、同一のＴＳ信号に複数のチャンネルが多重化されているため、利用者が指定する一のチャンネルに該当するＰＥＳのみが復元される。
【０１４５】
このように複数のチャンネルが多重化されて形成されるＴＳ信号が、送信局２より送信されると、衛星３の中継器を介して受信機４に放射される。受信機４では、チューナ部２３によって指定される一の周波数のＴＳのみが選択的に受信されてデマルチプレクサ部２４に送られ、デマルチプレクサ部２４によって各ＴＳパケットに分離される。なお、チューナ部２３によって指定される周波数は、利用者がリモコン３１によって指定したチャンネルの情報が含まれるＴＳの周波数である。
【０１４６】
そして、利用者によって指定されたチャンネルにかかるＴＳパケットが後段のデコーダ部２５−１に出力され、ＰＥＳに復元された後、再生時刻情報に基づいて当該時刻に再生可能となるように時間調整が行われて出力処理部２６−１に送出される。このとき、指定されたチャンネル以外のＴＳパケットについては、デコード処理が行われないものとしても良い。
【０１４７】
図１０に示す例によれば、利用者がチャンネルｃｈ６０、ｃｈ８０、ｃｈ１００、ｃｈ１２０のいずれかを指定した場合、ＴＳ２００ａを受信するためにチューナ部２３によって受信周波数がｆ２００ａに指定され（ＴＳ２００ａの信号周波数がｆ２００ａであるとする）、このＴＳパケット列より所望のチャンネルにかかるＴＳパケットがデコード処理されてＰＥＳが復元される。
【０１４８】
このように複数のチャンネルの情報が多重化されてＴＳが構成される状況下で、複数のチャンネルを同時受信する場合について説明する。以下では、周波数ｆ２００ａのＴＳに多重化されているチャンネルｃｈ６０を受信しながら、他の周波数ｆ２００ｂのＴＳに多重化されているチャンネルｃｈ９０を受信する場合について説明を行う。
【０１４９】
図１１は、本実施形態におけるＴＳの構成の一例である。図１１（ａ）がチャンネルｃｈ６０、ｃｈ８０、ｃｈ１００、ｃｈ１２０の４種類のチャンネルが多重化されて形成されるＴＳ２００ａの構成であり、図１１（ｂ）がチャンネルｃｈ５０、ｃｈ７０、ｃｈ９０、ｃｈ１１０の４種類のチャンネルが多重化されて形成されるＴＳ２００ｂの構成である。なお、ＴＳ２００ａは信号周波数がｆ２００ａであり、ＴＳ２００ｂは信号周波数がｆ２００ｂであるとする。
【０１５０】
また、上述の各実施形態と同様に、衛星３の中継器から放射される各ＴＳはそれぞれ同期がとられており、それぞれのＴＳを構成する各ＴＳパケットの大きさは同一であるものとする。
【０１５１】
利用者がリモコン３１を操作して、チャンネルｃｈ６０を受信しながら同時にチャンネルｃｈ９０を受信する指示を行ったとする。制御部２８は、リモコン３１からの信号によって同時受信モードに移行する旨の指示があったことを認識する。そして、チューナ部２３に対して、チャンネルｃｈ６０とチャンネルｃｈ９０の同時受信を行う旨の指示を行う。
【０１５２】
チューナ部２３は、チャンネルｃｈ６０を含むＴＳ信号周波数ｆ２００ａと、チャンネルｃｈ９０を含むＴＳ信号周波数ｆ２００ｂとを、所定のタイミングで切り替えながら信号の受信を行う。このタイミングについて以下に説明を行う。
【０１５３】
各ＴＳパケットは同一のサイズで構成され、また上述したように中継器からＴＳ信号が放射される際、各放射信号に対して同期が取られており、ＴＳ２００ａを構成する一のＴＳパケットと、ＴＳ２００ｂを構成する一のＴＳパケットは、それぞれ同一のタイミングでアンテナ２１に入射される。
【０１５４】
例えば、図１１に示されるＴＳ２００ａに含まれるＴＳパケット６１−１ｐがアンテナ２１に入射されたとき、ＴＳ２００ｂに含まれるＴＳパケット５１−１ｐが同時にアンテナ２１に入射されており、チューナ部２３が周波数ｆ２００ａを選択受信する状態であれば、ＴＳパケット５１−１ｐを受信することができない。
【０１５５】
制御部２８は、リモコン３１からの指示に基づいてチューナ部２３に対してチャンネルｃｈ６０とチャンネルｃｈ９０の同時受信を行う旨の指示を行う。このときチャンネルｃｈ９０を含むＴＳ信号の信号周波数はｆ２００ｂであることが予めメモり（不図示）に格納されているものとしても構わない。この場合、制御部２８からチューナ部２３に対して周波数ｆ２００ｂの信号を同時受信する旨の指示が与えられる。
【０１５６】
例えば、利用者がチャンネルｃｈ９０の同時受信指示が行われてから最初に受信される当該チャンネルｃｈ６０にかかるＴＳパケットの受信が完了次第、チューナ部２３が受信周波数をｆ２００ａからｆ２００ｂに切り替える。例えば、同時受信の指示が行われた時点で、ＴＳ２００ａにかかるＴＳパケット８１−１ｐを受信中であった場合、この次に与えられるｃｈ６０にかかるＴＳパケット６２−１ｐの受信が完了後、受信周波数がｆ２００ｂに切り替えられる。
【０１５７】
このとき、周波数の切替えには一定の時間を要するため、周波数ｆ２００ｂに切り替えらると、アンテナ２１は、ＴＳパケット７２−１ｐの一部のパケットが欠落した状態のＴＳ２００ｂを受信する。そして、パケット７２−１ｐの次に与えられるチャンネルｃｈ９０にかかるＴＳパケット９２−１ｐの受信を行うと、デマルチプレクサ部２４がこのヘッダに付されているＰＩＤがよりチャンネルｃｈ９０にかかるＴＳパケットであることを確認してデコーダ部２５−２に出力する。
【０１５８】
そして、ＴＳパケット７２−１ｐの受信が完了すると、チューナ部２３は再び受信周波数をｆ２００ａに切り替える。このとき、先ほどと同様、周波数の切替えには一定の時間を要するため、アンテナ２１は、ＴＳパケット１２２−１ｐの一部のパケットが欠落した状態のＴＳ２００ａを受信する。そして、パケット１２２−１ｐの次に与えられるチャンネルｃｈ６０にかかるＴＳパケット６１−２の受信を行うと、デマルチプレクサ部２４がこのヘッダに付されているＰＩＤよりチャンネルｃｈ６０にかかるＴＳパケットであることを確認してデコーダ部２５−１に出力する。
【０１５９】
以下、同様にしてＴＳパケットを受信完了毎にチューナ部２３が受信周波数の切り替えを行う。また、デマルチプレクサ部２４がＰＩＤを確認して、チャンネルｃｈ６０にかかるデータについてはデコーダ部２５−１に送出し、チャンネルｃｈ９０にかかるデータについてはデコーダ部２５−２に送出する。
【０１６０】
デコーダ部２５−１、２５−２では、上述の各実施形態と同様、各ＰＥＳを復元するのに必要な全てのＴＳパケットがバッファに格納されるとこれらのＴＳパケットよりＰＥＳが復元された後、再生時刻情報に基づいて時間調整が行われた後、出力処理部２６−１、２６−２に送出される。
【０１６１】
このように構成されるとき、一つのＴＳに複数のチャンネルの信号が多重化されることで、一つのチャンネルにかかるＴＳパケットが所定の時間間隔毎に並べられてＴＳを形成する状態となるため、上記の例でいえば、周波数ｆ２００ａのＴＳ２００ａに含まれるチャンネルｃｈ６０にかかるＴＳパケットを受信中においては、周波数ｆ２００ｂのＴＳ２００ｂには受信すべきチャンネルｃｈ９０にかかるＴＳパケットが存在せず、逆に周波数ｆ２００ｂのＴＳ２００ｂに含まれるチャンネルｃｈ９０にかかるＴＳパケットを受信中においては、周波数ｆ２００ａのＴＳ２００ａには受信すべきチャンネルｃｈ６０にかかるＴＳパケットが存在しない構成である。従って、受信周波数を逐次切り替えることによって、両方のチャンネルのＰＥＳを復元するのに必要な全てのＴＳパケットを取得することができる。
【０１６２】
なお、上述の例では、異なる周波数のＴＳ信号に含まれる複数のチャンネルを同時受信する場合について説明を行ったが、例えば図１１に示されるチャンネルｃｈ６０とｃｈ８０の組み合わせのように、指定されたチャンネルが、同一のＴＳ信号に多重化されている場合には、チューナ部２３によって切り替えを行う必要がない。このような判断が制御部２８によって行われるものとしても構わない。
【０１６３】
また、図１１に示す例において、チャンネルｃｈ６０とチャンネルｃｈ５０についてはそれぞれにかかるＴＳパケットが同時にアンテナ２１に入射される構成であるため、これら２つのチャンネルにかかる番組を同時に受信することができない。従って、チャンネルｃｈ６０を受信中に利用者がリモコン３１によってチャンネルｃｈ５０の同時受信指示を行った場合、制御部２８によって同時受信が可能な組み合わせかどうかの判別がされた上で、同時受信が不可能な組み合わせの場合には、その旨の情報が利用者に通知される構成としても良い。
【０１６４】
さらに、本実施形態においても、第１の実施形態と同様、同一情報が記載されたＴＳパケットを複数個連続的に並べてＴＳパケット列を形成するものとしても構わない。この場合、各チャンネル毎に同一情報が記載されたＴＳパケットが複数個連続して並べられると共に、同一ＴＳには複数のチャンネルにかかるＴＳパケットが多重化された形となる。
【０１６５】
図１２は、図１１に示すＴＳ２００ａ、ＴＳ２００ｂを、さらに同一ＴＳパケットが複数個連続して並べられる構成とした状態を示す（それぞれのＴＳをＴＳ２００ａ１、ＴＳ２００ｂ１とする）。このように構成されるとき、チャンネルｃｈ６０を受信中にチャンネルｃｈ５０の同時受信を行う指示が利用者によって行われた場合も、ＴＳパケット６１−１ａを受信後に周波数の切り替えを行ってＴＳパケット５１−１ｃの受信を行うことができるので、同じタイミングでアンテナにＴＳパケットが与えられるチャンネルの組み合わせについても同時受信が可能となる。
【０１６６】
なお、本実施形態においては、予めメモリ（不図示）に各ＴＳにおけるそれぞれのチャンネルの並び順が記憶されており、利用者の指定するチャンネルに応じて、チューナ部２３の受信周波数の切り替えタイミングが制御される構成としても構わない。
【０１６７】
また、上述の各実施形態では、２つの異なる周波数のＴＳ信号を同時に受信する場合について説明を行ったが、２種類に限られず３種類以上の周波数を同時に受信する構成にすることも可能である。この場合、ＳＴＢ２０が、３種類以上の信号を出力できるようにデコーダ部及び出力処理部を複数備えるものとすれば良い。
【０１６８】
さらに、上述の各実施形態では、ＳＴＢにデコーダ部が複数備えられるものとしたが、デコーダ部に備えられるバッファにおいて各チャンネルごとにデータを管理できる構成であれば、デコーダ部を単独にするとともに、デコードされた番組データをチャンネルごとに出力処理部に対して送出するものとしても良い。
【０１６９】
このように、各ＴＳ信号及びＳＴＢを上述の各実施形態の構成にすることで、単独のチューナを備えるＳＴＢによって複数のチャンネルを同時に受信することができる。
【産業上の利用可能性】
【０１７０】
本発明のディジタル衛星放送システムは、衛星を介して放送番組を受信するディジタル衛星放送に好適に利用され得る。
【図面の簡単な説明】
【０１７１】
【図１】は、一実施形態の通信システムの概念図である。
【図２】は、送信局の構成を示すブロック図である。
【図３】は、ＴＳの構成の一例である。
【図４】は、受信機の構成を示すブロック図である。
【図５】は、異なるチャンネルのＴＳの構成の一例である。
【図６】は、異なるチャンネルのＴＳの構成の一例である。
【図７】は、第２の実施形態におけるＴＳの構成の一例である。
【図８】は、第２の実施形態における異なるチャンネルのＴＳの構成の一例である。
【図９】は、第３の実施形態における送信局の構成を示すブロック図である。
【図１０】は、第３の実施形態におけるＴＳの構成の一例である。
【図１１】は、第３の実施形態におけるＴＳの構成の一例である。
【図１２】は、第３の実施形態におけるＴＳの別の構成の例である。
【符号の説明】
【０１７２】
１    通信システム
２    送信局
３    衛星
４    受信機
１１    ＡＶデータ格納部
１２    符号化部
１３    パケット処理部
１４    変調処理部
１５    送信部
２０    ＳＴＢ
２１    アンテナ
２２    ＬＮＢ
２３    チューナ部
２４    デマルチプレクサ部
２５−１、２５−２    デコーダ部
２６−１、２６−２    出力処理部
２８    制御部
３１    リモコン
４０、５０    ＴＳ
２００ａ、２００ａ１    ＴＳ
２００ｂ、２００ｂ１    ＴＳ
【図１】
2006229510.tif 000003
【図２】
2006229510.tif 000004
【図３】
2006229510.tif 000005
【図４】
2006229510.tif 000006
【図５】
2006229510.tif 000007
【図６】
2006229510.tif 000008
【図７】
2006229510.tif 000009
【図８】
2006229510.tif 000010
【図９】
2006229510.tif 000011
【図１０】
2006229510.tif 000012
【図１１】
2006229510.tif 000013
【図１２】
2006229510.tif 000014